(57)【要約】      （修正有）【課題】家族に適した転居先候補に関する情報を提供する、情報提供装置、情報提供方法、プログラム及び情報提供システムを提供する。【解決手段】情報提供装置２は、ユーザの家族構成を特定する特定部２３２と、家族構成に基づいて、転居先候補地の抽出に用いる複数の条件から、ユーザの転居先候補地の抽出に用いる抽出条件として一以上の条件を選択する選択部２３３と、抽出条件に基づいて抽出した一以上の転居先候補地に関する一以上の候補地情報をユーザの情報端末に提供する情報提供部２３４と、を有する。【選択図】図３
2018169899.tif 000002
【特許請求の範囲】
【請求項１】
ユーザの家族構成を特定する特定部と、
前記家族構成に基づいて、転居先候補地の抽出に用いる複数の条件から、前記ユーザの転居先候補地の抽出に用いる抽出条件として一以上の条件を選択する選択部と、
前記抽出条件に基づいて抽出した一以上の転居先候補地に関する一以上の候補地情報を前記ユーザの情報端末に提供する情報提供部と、
を有する情報提供装置。
【請求項２】
前記選択部は、前記特定部が、所定の年齢以下の家族がいる前記家族構成を特定した場合に、子供向けの施設又はサービスに関する条件を選択する、
請求項１に記載の情報提供装置。
【請求項３】
前記選択部は、前記特定部が、所定の年齢以上の家族がいる前記家族構成を特定した場合に、高齢者向けの施設又はサービスに関する条件を選択する、
請求項１又は２に記載の情報提供装置。
【請求項４】
前記ユーザの家族の年代を示す年代情報を取得する情報取得部をさらに有し、
前記特定部は、前記年代情報に基づいて前記家族構成を特定する、
請求項１から３のいずれか一項に記載の情報提供装置。
【請求項５】
前記情報提供部は、前記家族構成に基づいて決定した態様で、前記一以上の候補地情報を提供する、
請求項１から４のいずれか一項に記載の情報提供装置。
【請求項６】
前記情報提供部は、前記特定部が、所定の年齢以下の家族がいる前記家族構成を特定した場合に、子供向けの施設又はサービスに関する情報を優先的に前記ユーザの情報端末に表示させる態様で提供する、
請求項５に記載の情報提供装置。
【請求項７】
前記情報提供部は、前記特定部が、所定の年齢以上の家族がいる前記家族構成を特定した場合に、高齢者向けの施設又はサービスに関する情報を優先的に前記ユーザの情報端末に表示させる態様で提供する、
請求項５又は６に記載の情報提供装置。
【請求項８】
前記特定部は、前記ユーザ及び前記ユーザの家族の少なくともいずれかによるウェブサイトの閲覧履歴に基づいて、前記家族構成を特定する、
請求項１から７のいずれか一項に記載の情報提供装置。
【請求項９】
コンピュータが実行する、
ユーザの家族構成を特定するステップと、
前記家族構成に基づいて、転居先候補地の抽出に用いる複数の条件から、前記ユーザの転居先候補地の抽出に用いる抽出条件として一以上の条件を選択するステップと、
前記抽出条件に基づいて抽出した一以上の転居先候補地に関する一以上の候補地情報を前記ユーザの情報端末に提供するステップと、
を有する情報提供方法。
【請求項１０】
コンピュータを、
ユーザの家族構成を特定する特定部、
前記家族構成に基づいて、転居先候補地の抽出に用いる複数の条件から、前記ユーザの転居先候補地の抽出に用いる抽出条件として一以上の条件を選択する選択部、及び
前記抽出条件に基づいて抽出した一以上の転居先候補地に関する一以上の候補地情報を前記ユーザの情報端末に提供する情報提供部、
として機能させるためのプログラム。
【請求項１１】
情報端末と、前記情報端末に情報を提供する情報提供装置と、を備える情報提供システムであって、
前記情報提供装置は、
ユーザの家族構成を特定する特定部と、
前記家族構成に基づいて、転居先候補地の抽出に用いる複数の条件から、前記ユーザの転居先候補地の抽出に用いる抽出条件として一以上の条件を選択する選択部と、
前記抽出条件に基づいて抽出した一以上の転居先候補地に関する一以上の候補地情報を前記ユーザの情報端末に提供する情報提供部と、
を有する情報提供システム。
【発明の詳細な説明】
【技術分野】
【０００１】
本発明は、転居のための情報を提供する情報提供装置、情報提供方法、プログラム及び情報提供システムに関する。
【背景技術】
【０００２】
従来、転居の際に必要になる情報を提供するシステムが知られている。特許文献１には、転居先の住居に関する情報を提供するための住居情報提供システムが開示されている。従来のシステムにおいては、ユーザが住居の立地条件、建物条件及び価格条件等を入力した結果に応じて、条件を満たす住居に関する情報が提供される。
【先行技術文献】
【特許文献】
【０００３】
【特許文献１】特開２０１２−１９０２１０号公報
【発明の概要】
【発明が解決しようとする課題】
【０００４】
転居をする際には、住居以外のさまざまな要素を考慮する必要がある。また、家族の構成員ごとに、優先したい要素が異なる。したがって、転居先の候補を選択する際に、ユーザが適切な条件を設定することは容易ではなく、適切な条件を入力できないことにより、家族に適した情報が提供されない場合があるという問題があった。
【０００５】
そこで、本発明はこれらの点に鑑みてなされたものであり、家族に適した転居先候補に関する情報を提供可能にする情報提供装置、情報提供方法、プログラム及び情報提供システムを提供することを目的とする。
【課題を解決するための手段】
【０００６】
本発明の第１の態様の情報提供装置は、ユーザの家族構成を特定する特定部と、前記家族構成に基づいて、転居先候補地の抽出に用いる複数の条件から、前記ユーザの転居先候補地の抽出に用いる抽出条件として一以上の条件を選択する選択部と、前記抽出条件に基づいて抽出した一以上の転居先候補地に関する一以上の候補地情報を前記ユーザの情報端末に提供する情報提供部と、を有する。
【０００７】
前記選択部は、前記特定部が、所定の年齢以下の家族がいる前記家族構成を特定した場合に、子供向けの施設又はサービスに関する条件を選択してもよい。また、前記選択部は、前記特定部が、所定の年齢以上の家族がいる前記家族構成を特定した場合に、高齢者向けの施設又はサービスに関する条件を選択してもよい。
【０００８】
情報提供装置は、前記ユーザの家族の年代を示す年代情報を取得する情報取得部をさらに有し、前記特定部は、前記年代情報に基づいて前記家族構成を特定してもよい。
【０００９】
前記情報提供部は、前記家族構成に基づいて決定した態様で、前記一以上の候補地情報を提供してもよい。また、前記情報提供部は、前記特定部が、所定の年齢以下の家族がいる前記家族構成を特定した場合に、子供向けの施設又はサービスに関する情報を優先的に前記ユーザの情報端末に表示させる態様で提供してもよい。
【００１０】
前記情報提供部は、前記特定部が、所定の年齢以上の家族がいる前記家族構成を特定した場合に、高齢者向けの施設又はサービスに関する情報を優先的に前記ユーザの情報端末に表示させる態様で提供してもよい。
【００１１】
前記特定部は、前記ユーザ及び前記ユーザの家族の少なくともいずれかによるウェブサイトの閲覧履歴に基づいて、前記家族構成を特定してもよい。
【００１２】
本発明の第２の態様の情報提供方法は、コンピュータが実行する、ユーザの家族構成を特定するステップと、前記家族構成に基づいて、転居先候補地の抽出に用いる複数の条件から、前記ユーザの転居先候補地の抽出に用いる抽出条件として一以上の条件を選択するステップと、前記抽出条件に基づいて抽出した一以上の転居先候補地に関する一以上の候補地情報を前記ユーザの情報端末に提供するステップと、を有する。
【００１３】
本発明の第３の態様のプログラムは、コンピュータを、ユーザの家族構成を特定する特定部、前記家族構成に基づいて、転居先候補地の抽出に用いる複数の条件から、前記ユーザの転居先候補地の抽出に用いる抽出条件として一以上の条件を選択する選択部、及び前記抽出条件に基づいて抽出した一以上の転居先候補地に関する一以上の候補地情報を前記ユーザの情報端末に提供する情報提供部、として機能させる。
【００１４】
本発明の第４の態様の情報提供システムは、情報端末と、前記情報端末に情報を提供する情報提供装置と、を備える情報提供システムであって、前記情報提供装置は、ユーザの家族構成を特定する特定部と、前記家族構成に基づいて、転居先候補地の抽出に用いる複数の条件から、前記ユーザの転居先候補地の抽出に用いる抽出条件として一以上の条件を選択する選択部と、前記抽出条件に基づいて抽出した一以上の転居先候補地に関する一以上の候補地情報を前記ユーザの情報端末に提供する情報提供部と、を有する。
【発明の効果】
【００１５】
本発明によれば、家族に適した転居先候補に関する情報を提供できるという効果を奏する。
【図面の簡単な説明】
【００１６】
【図１】本実施形態の情報提供システムの構成を示す図である。
【図２】情報端末の構成を示す図である。
【図３】情報提供装置の構成を示す図である。
【図４】選択部が抽出条件の選択に用いる優先度情報を示すテーブルの一例である。
【図５】情報端末に表示される候補地情報の表示画面の一例である。
【図６】情報提供装置における処理の流れを示すフローチャートである。
【発明を実施するための形態】
【００１７】
［情報提供システムＳの概要］
図１は、本実施形態の情報提供システムＳの構成を示す図である。情報提供システムＳは、情報端末１（１ａ，１ｂ）と、情報提供装置２と、地域情報サーバ３とを備える。情報端末１及び地域情報サーバ３は、ネットワークＮを介して情報提供装置２との間でデータを送受信することができる。ネットワークＮは、携帯電話網又はインターネット等を含む。
【００１８】
情報端末１は、情報提供装置２から提供される情報を表示することができる端末であり、例えば、スマートフォン、タブレット端末又はパーソナルコンピュータである。情報端末１のユーザは、情報提供装置２が提供する転居情報提供サイトにアクセスすることにより、転居先候補地に関する情報（以下、候補地情報という）を閲覧することができる。候補地情報は、転居先の候補地において利用できる施設及びサービスに関する情報、並びに求人中の企業に関する情報等である。
【００１９】
情報提供装置２は、候補地情報を記憶しており、情報端末１からの要求に応じて候補地情報を提供するサーバである。情報提供装置２は、例えば、地域情報サーバ３から提供される各地域の情報に属性を示すメタデータを付加して生成された候補地情報を記憶している。情報提供装置２は、情報端末１のユーザの家族構成を特定し、家族構成に基づいて、複数の候補地情報のうち情報端末１のユーザに提供する候補地情報を抽出するための条件を決定する。情報提供装置２は、決定した条件と候補地情報の属性とに基づいて抽出した一以上の候補地情報を情報端末１に提供する。
【００２０】
情報提供装置２が情報端末１の家族構成を特定する方法の詳細については後述するが、情報提供装置２は、情報端末１において入力された、ユーザ及びユーザの家族に関する情報（以下、ユーザ情報という）に基づいて、家族構成を特定する。情報提供装置２が、候補地情報以外の情報を提供する他の情報提供システムと連携しており、他の情報提供システムから取得したユーザ情報に基づいて、家族構成を特定してもよい。例えば、情報提供装置２は、情報端末１のユーザが他の情報提供システムを利用して情報を検索する際に使用したキーワードに基づいて家族構成を特定する。
【００２１】
地域情報サーバ３は、例えば地方自治体が管理する複数のサーバを含んでおり、各地方自治体が提供する地域の情報を記憶している。地域情報サーバ３は、地域の施設及びサービスに関する情報を情報提供装置２に提供する。
以下、情報端末１及び情報提供装置２の構成及び動作について詳細に説明する。
【００２２】
［情報端末１の構成］
図２は、情報端末１の構成を示す図である。情報端末１は、操作部１１と、表示部１２と、通信部１３と、記憶部１４と、制御部１５とを有する。
【００２３】
操作部１１は、キーボード、マウス又はタッチパネルのように、ユーザが操作するためのデバイスである。操作部１１は、ユーザの操作内容を示す情報を制御部１５に通知する。ユーザは、操作部１１を用いてユーザ情報を入力することができる。ユーザは、例えば、操作部１１を用いて、ユーザ及びユーザの家族の年齢を入力する。
【００２４】
表示部１２は、ディスプレイである。表示部１２は、制御部１５の制御に基づいて、例えば情報提供装置２から提供される情報を表示する。表示部１２は、「幼稚園児」、「小学生」、「高齢者」等のように、ユーザ情報の入力を補助する画面を表示してもよい。この場合、ユーザは、操作部１１を操作して、表示された項目から家族の属性に該当する項目を選択することによりユーザ情報を入力することができる。なお、表示部１２が、ユーザ情報の入力を補助する画面を表示せず、ユーザが操作部１１を用いて自由に単語を入力できるようにしてもよい。
【００２５】
通信部１３は、ネットワークＮを介して情報提供装置２との間でデータを送受信するための通信インターフェースである。情報端末１がスマートフォン又はタブレット端末である場合、通信部１３は、携帯電話網やＷｉ−Ｆｉ（登録商標）アクセスポイントに接続するための無線通信モジュールを含んでいる。情報端末１がパーソナルコンピュータである場合、通信部１３は、有線ネットワークに接続するためのＬＡＮ（Local Area Network）コントローラを含んでいる。なお、情報端末１が、無線通信機能を有するスマートフォンやタブレット端末等であり、通信部１３が、無線通信回線にアクセスするための無線通信用コントローラを含んでいてもよい。
【００２６】
記憶部１４は、ＲＯＭ（Read Only Memory）及びＲＡＭ（Random Access Memory）を含んでいる。記憶部１４は、制御部１５が実行するプログラムを記憶している。また、記憶部１４は、情報提供装置２から提供される情報を一時的に記憶する。
【００２７】
制御部１５は、例えばＣＰＵ（Central Processing Unit）である。制御部１５は、記憶部１４に記憶されたプログラムを実行することにより、操作部１１、表示部１２及び通信部１３を制御し、情報端末１のユーザに適した候補地情報を表示する。
【００２８】
［情報提供装置２の構成］
図３は、情報提供装置２の構成を示す図である。情報提供装置２は、通信部２１と、記憶部２２と、制御部２３とを有する。制御部２３は、情報取得部２３１と、特定部２３２と、選択部２３３と、情報提供部２３４とを有する。
【００２９】
通信部２１は、ネットワークＮを介して情報端末１及び地域情報サーバ３との間でデータを送受信するための通信インターフェースである。通信部２１は、例えばＬＡＮコントローラを含んでいる。通信部２１は、情報端末１又は地域情報サーバ３から受信したデータを情報取得部２３１に入力する。また、通信部２１は、情報提供部２３４から入力されたデータを情報端末１に送信する。
【００３０】
記憶部２２は、ハードディスク、ＲＯＭ及びＲＡＭを含む記憶媒体である。記憶部２２は、制御部２３が実行するプログラムを記憶している。また、記憶部２２は、各種の候補地情報を記憶している。さらに、記憶部２２は、ユーザの家族構成に基づいて候補地情報を抽出するための条件を決定する際に用いられる、家族構成と抽出条件とを関連付けた情報（例えば、詳細については後述する図４に示す情報）を記憶している。
【００３１】
制御部２３は、例えばＣＰＵである。制御部２３は、記憶部２２が記憶しているプログラムを実行することにより、情報取得部２３１、特定部２３２、選択部２３３及び情報提供部２３４として機能する。
【００３２】
情報取得部２３１は、ユーザの家族構成を特定するために使用されるユーザ情報を取得する。ユーザ情報は、例えば配偶者の有無に関する情報、子供の有無に関する情報、高齢者の有無に関する情報、子供の年代を示す年代情報、ユーザ及び配偶者の年代を示す年代情報、並びにユーザ又は配偶者が妊娠中であるか否かに関する情報である。高齢者の有無に関する情報には、高齢者の年代を示す年代情報を含んでもよい。
【００３３】
情報取得部２３１は、例えば情報端末１において入力されたユーザ情報を取得する。情報取得部２３１は、外部のシステムから、情報端末１のユーザ又はユーザの家族が過去に閲覧したサイトの種別、及びユーザ又はユーザの家族が過去に情報を検索する際に使用したキーワード等をユーザ情報として取得してもよい。情報取得部２３１は、取得したユーザ情報を特定部２３２に提供する。
【００３４】
特定部２３２は、情報取得部２３１から入力されたユーザ情報に基づいて、ユーザの家族構成を特定する。特定部２３２は、ユーザ情報として家族の年代を示す情報を取得した場合、年代に基づいて家族構成を特定する。例えば、特定部２３２は、ユーザ情報が、１０歳代の家族及び３０歳代の家族がいることを示している場合、家族が夫婦と子供により構成されており、子供が小学生、中学生又は高校生であることを特定する。また、特定部２３２は、ユーザ情報が、４０歳代の家族及び７０歳代の家族がいることを示している場合、家族が夫婦と高齢者により構成されていることを特定する。
【００３５】
また、特定部２３２は、ユーザ情報としてユーザ及びユーザの家族の少なくともいずれかが過去に閲覧したサイトの種別を示す閲覧履歴情報を取得した場合、サイトの種別に基づいて家族構成を特定する。特定部２３２は、例えば、閲覧履歴情報が、子供が利用する施設やサービスに関するサイトにユーザ又は家族がアクセスしていたことを示している場合、家族に子供が含まれていることを特定する。子供が利用する施設やサービスに関するサイトは、例えば公園のホームページ、幼稚園や学校等のホームページ、又は小児科のホームページである。
【００３６】
特定部２３２は、閲覧履歴情報が、高齢者が利用する施設やサービスに関するサイトにユーザ又は家族がアクセスしていたことを示している場合、家族に高齢者が含まれていることを特定する。高齢者が利用する施設やサービスに関するサイトは、例えばデイケアセンターや老人ホームのホームページである。
【００３７】
また、特定部２３２は、ユーザ情報として、ユーザ又は家族が過去に情報を検索する際に使用したキーワードを取得した場合、キーワードの属性に基づいて家族構成を特定する。特定部２３２は、例えば、子供が利用する施設やサービスの検索に用いられるキーワードが使用されたことをユーザ情報が示している場合、家族に子供が含まれていることを特定する。子供が利用する施設やサービスの検索に用いられるキーワードは、例えば、「公園」、「幼稚園」、「学校」、又は「小児科」である。
【００３８】
特定部２３２は、高齢者が利用する施設やサービスの検索に用いられるキーワードが使用されたことをユーザ情報が示している場合、家族に高齢者が含まれていることを特定する。高齢者が利用する施設やサービスの検索に用いられるキーワードは、例えば、「デイケア」又は「老人ホーム」である。
【００３９】
選択部２３３は、特定部２３２が特定した家族構成に基づいて、転居先候補地の抽出に用いられる複数の条件から、ユーザの転居先候補地の抽出に用いる抽出条件として一以上の条件を選択する。転居先候補地の抽出に用いることができる条件は、例えば、「子供が利用する施設やサービス」、「高齢者が利用する施設やサービス」、「求人中の会社」、「趣味を楽しめる施設やサービス」、「ショッピングを楽しめる店舗」、又は「レストラン」のように多岐にわたる。
【００４０】
各条件には、さらに細分化した副条件が含まれていてもよい。例えば、「子供が利用する施設やサービス」という条件は、「乳幼児が利用する施設やサービス」、「小学生が利用する施設やサービス」、及び「中高生が利用する施設やサービス」という副条件を含んでもよい。「求人中の会社」は、年代及び分野等の副条件を含んでもよい。
【００４１】
複数の抽出条件のそれぞれには、家族構成に関連付けて優先度を示す優先度情報が定められている。選択部２３３は、ユーザの家族構成に関連付けられた優先度に基づいて抽出条件を選択する。例えば、選択部２３３は、特定部２３２が、所定の年齢以下の家族がいる家族構成を特定した場合に、子供向けの施設又はサービスに関する条件を選択する。また、選択部２３３は、特定部２３２が、所定の年齢以上の家族がいる家族構成を特定した場合に、高齢者向けの施設又はサービスに関する条件を選択する。
【００４２】
図４は、選択部２３３が抽出条件の選択に用いる優先度情報を示すテーブルの一例である。図４に示すテーブルは、記憶部２２に記憶されており、選択部２３３は、記憶部２２から読み出したテーブルを参照することにより、候補地情報の抽出に用いる抽出条件を選択する。
【００４３】
図４に示す優先度情報においては、家族構成と抽出条件とが関連付けられている。複数の家族構成それぞれに対して、複数の抽出条件それぞれの優先度が定められている。図４の抽出条件の欄に示す０〜５の数値は優先度を示しており、５は最も優先度が高く、０は最も優先度が低いことを示している。また、「子供施設」の欄における「保・幼」は、乳幼児が利用する施設又はサービスを示している。「小」は、小学生が利用する施設又はサービスを示している。「中・高」は、中高生が利用する施設又はサービスを示している。
【００４４】
図４に示す例において、家族構成がカテゴリーＡ１の「２０歳代の夫婦の家族」である場合、抽出条件として「会社」の優先度が最も高く、「趣味」と「保・幼」の優先度が２番目に高くなっている。家族構成がカテゴリーＢ２の「３０歳代の夫婦と０歳から３歳の間の子供がいる家族」である場合、抽出条件として「保・幼」の優先度が最も高く、「小」と「会社」の優先度が２番目に高くなっている。家族構成がカテゴリーＣ３の「４０歳代の夫婦と高齢者がいる家族」である場合、抽出条件として「高齢者施設」の優先度が最も高く、「会社」と「趣味」の優先度が２番目に高くなっている。選択部２３３は、特定した抽出条件を情報提供部２３４に通知する。
【００４５】
情報提供部２３４は、抽出条件に基づいて抽出した一以上の転居先候補地に関する一以上の候補地情報を情報端末１に提供する。具体的には、情報提供部２３４は、記憶部２２に記憶されている多数の候補地情報から、選択部２３３から通知された抽出条件との関連性が高い候補地情報を抽出する。記憶部２２に記憶されている候補地情報には、それぞれの情報の内容を示すメタデータが含まれており、情報提供部２３４は、抽出条件とメタデータとのマッチング度に基づいて、候補地情報の評価点を算出し、評価点が高い順に情報端末１に提供する。
【００４６】
例えば、ユーザの家族構成が「３０歳代の夫婦と０歳から３歳の間の子供がいる家族」であり、候補地情報ａのメタデータが、「保育施設がある会社」であることを示しているとする。この場合、情報提供部２３４は、メタデータに含まれているキーワード「保育施設」及び「会社」と、キーワードに関連する抽出条件「保・幼」の優先度（５）及び「会社」の優先度（４）とに基づいて、評価点を５×１＋４×１＝９点と算出する。
【００４７】
候補地情報ｂのメタデータが、「幼稚園のホームページ」であることを示している場合、情報提供部２３４は、メタデータに含まれているキーワード「幼稚園」と、キーワードに関連する抽出条件「保・幼」の優先度（５）に基づいて、評価点を５×１＝５点と算出する。この場合、候補地情報ａの評価点が候補地情報ｂの評価点よりも高いので、情報提供部２３４は、候補地情報ｂよりも候補地情報ａを優先して情報端末１に提供する。情報提供部２３４は、例えば、抽出した複数の候補地情報に優先順位を付して情報端末１に提供する。
【００４８】
情報提供部２３４は、候補地情報を抽出する前又は後に、情報端末１から取得した情報に基づいて、候補地が含まれる地域を絞り込んでもよい。情報提供部２３４は、情報端末１のユーザにより指定された地域に絞り込んでもよい。情報提供部２３４は、絞り込んだ地域に関連する複数の候補地情報から、家族構成に基づいて一以上の候補地情報を抽出する。
【００４９】
情報提供部２３４は、候補地情報を情報端末１に提供する際に、特定部２３２が特定した家族構成に基づいて決定した態様で、一以上の候補地情報を提供する。具体的には、情報提供部２３４は、特定部２３２が、所定の年齢以下の家族がいる家族構成を特定した場合に、子供向けの施設又はサービスに関する情報を優先的に情報端末１に表示させる態様で提供する。また、情報提供部２３４は、特定部２３２が、所定の年齢以上の家族がいる家族構成を特定した場合に、高齢者向けの施設又はサービスに関する情報を優先的に情報端末１に表示させる態様で提供する。
【００５０】
図５は、情報端末１に表示される候補地情報の表示画面の一例である。図５（ａ）は、家族に乳幼児がいる場合に表示される画面を示しており、保育園、幼稚園及び公園等の乳幼児がいる家族向けの情報が１番目〜３番目に表示され、小学生がいる家族向けの情報が４番目に表示されている。図５（ｂ）は、家族に高齢者がいる場合に表示される画面を示しており、病院に関する情報及び高齢者向けの制度等の高齢者がいる家族向けの情報が１番目〜３番目に表示され、趣味に関する情報が４番目に表示されている。
【００５１】
なお、図５においては、複数の候補地（候補地１〜３）から選択した候補地に関する情報を閲覧できることが示されている。ユーザの転居に適した候補地が複数ある場合に、情報提供部２３４が、このように候補地ごとに情報を閲覧できるようにすることで、ユーザが、候補地それぞれのメリットを把握しやすくなる。情報提供部２３４は、ユーザの家族構成に適した候補地情報が多い複数の候補地に関する情報を同一の画面で並べて表示してもよい。このようにすることで、ユーザは、複数の候補地を比較しやすくなる。
【００５２】
［情報提供装置２における処理の流れ］
図６は、情報提供装置２における処理の流れを示すフローチャートである。まず、情報取得部２３１は、候補地を検索する要求を情報端末１から取得する（Ｓ１１）。続いて、情報取得部２３１は、ユーザ情報を取得する（Ｓ１２）。情報取得部２３１は、例えば情報端末１から送信されてきたログイン情報に基づいてユーザを特定し、ユーザに関連付けて記憶部２２に記憶されているユーザ情報、又は外部のシステムに記憶されているユーザ情報を取得する。
【００５３】
続いて、特定部２３２は、情報取得部２３１が取得したユーザ情報に基づいて家族構成を特定する（Ｓ１３）。続いて、選択部２３３は、特定部２３２が特定した家族構成に基づいて、候補地情報の抽出に用いる条件を選択する（Ｓ１４〜Ｓ１９）。具体的には、選択部２３３は、家族が夫婦のみであるか否かを判定し（Ｓ１４）、家族が夫婦のみであると判定した場合、夫婦用の条件を選択する（Ｓ１５）。
【００５４】
選択部２３３は、ステップＳ１４において家族が夫婦のみでないと判定した場合、家族に子供が含まれるか否かを判定する（Ｓ１６）。選択部２３３は、家族に子供が含まれると判定した場合、子供がいる家族用の条件を選択する（Ｓ１７）。
【００５５】
選択部２３３は、ステップＳ１６において家族に子供がいないと判定した場合、家族に高齢者が含まれるか否かを判定する（Ｓ１８）。選択部２３３は、家族に高齢者が含まれると判定した場合、高齢者がいる家族用の条件を選択する（Ｓ１９）。選択部２３３は、ステップＳ１８において家族に高齢者がいないと判定した場合、さらに他の判定基準に基づいて家族構成を特定してもよい。
【００５６】
情報提供部２３４は、ステップＳ１５、Ｓ１７又はＳ１９において選択部２３３が決定した条件に基づいて一以上の候補地情報を抽出する（Ｓ２０）。続いて、情報提供部２３４は、家族構成に基づいて、抽出した一以上の候補地情報の優先順位を決定し、決定した優先順位に基づく態様で候補地情報を情報端末１に提供する。
【００５７】
［情報提供システムＳによる効果］
以上説明したように、情報提供システムＳにおいては、情報提供装置２が、家族構成に基づいて、転居先候補地の抽出に用いる複数の条件から、ユーザの転居先候補地の抽出に用いる抽出条件として一以上の条件を選択する。そして、情報提供装置２は、抽出条件に基づいて抽出した一以上の転居先候補地に関する一以上の候補地情報を情報端末１に提供する。
【００５８】
このような構成により、情報提供システムＳにおいては、ユーザの家族構成に適した候補地情報が情報端末１に表示される。したがって、ユーザは、転居先に関する情報を収集する際に、家族にとって関心がある情報を入手しやすくなるので、情報収集作業の効率が向上する。また、ユーザの家族の候補地に関する理解が深まりやすくなり、転居への家族の関心を高めることもできる。都会から地方に移住する場合のように、環境が大きく変わる転居の場合、家族が満足する場所に転居することが特に重要であり、情報提供システムＳは、移住を検討するユーザに情報を提供する手段として特に好適である。
【００５９】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００６０】
１  情報端末
２  情報提供装置
３  地域情報サーバ
１１  操作部
１２  表示部
１３  通信部
１４  記憶部
１５  制御部
２１  通信部
２２  記憶部
２３  制御部
２３１  情報取得部
２３２  特定部
２３３  選択部
２３４  情報提供部
【図１】
2018169899.tif 000003
【図２】
2018169899.tif 000004
【図３】
2018169899.tif 000005
【図４】
2018169899.tif 000006
【図５】
2018169899.tif 000007
【図６】
2018169899.tif 000008